(57)【要約】【課題】ディスプレイ装置を提供する。【解決手段】左側パネルと右側パネルとのデータ線が連結されたディスプレイパネルと、左側パネルにゲート信号を提供する第１ゲート駆動部と、右側パネルにゲート信号を提供する第２ゲート駆動部と、第１ゲート駆動部および第２ゲート駆動部を制御し、左側パネルまたは右側パネルのうちいずれか一つのパネルにデータ信号を提供するドライバＩＣと、を備えるディスプレイ装置である。これにより、ドライバＩＣの多くの部分を占めるデータ駆動ブロックの面積を減らしてドライバＩＣのチップ減少を極大化できる。【選択図】図３
2011164580.tif 000002
【特許請求の範囲】
【請求項１】
左側パネルと右側パネルとのデータ線が連結されたディスプレイパネルと、
前記左側パネルにゲート信号を提供する第１ゲート駆動部と、
前記右側パネルにゲート信号を提供する第２ゲート駆動部と、
前記第１ゲート駆動部および前記第２ゲート駆動部を制御し、前記左側パネルまたは前記右側パネルのうちいずれか一つのパネルにデータ信号を提供するドライバＩＣと、を備えるディスプレイ装置。
【請求項２】
前記ディスプレイパネルは、
前記左側パネルのデータ線と前記右側パネルのデータ線とが対称的に連結されたことを特徴とする請求項１に記載のディスプレイ装置。
【請求項３】
前記ドライバＩＣは、
前記左側パネルまたは前記右側パネルのうちいずれか一つのパネルにデータ信号を提供するデータ駆動部と、
前記第１ゲート駆動部に第１ゲート制御信号を提供し、前記第２ゲート駆動部に第２ゲート制御信号を提供し、前記データ駆動部にデータ制御信号を提供する信号制御部と、を備えることを特徴とする請求項１または２に記載のディスプレイ装置。
【請求項４】
前記第１ゲート駆動部および前記第２ゲート駆動部は、
前記ディスプレイパネルに実装されたことを特徴とする請求項１〜３のいずれか１項に記載のディスプレイ装置。
【請求項５】
前記ディスプレイパネルは、
ＡＳＧ（Ａｍｏｒｐｈｏｕｓ Ｓｉｌｉｃｏｎ Ｇａｔｅ）パネルであることを特徴とする請求項１に記載のディスプレイ装置。
【請求項６】
前記ディスプレイパネルは、
ＬＴＰＳ（Ｌｏｗ Ｔｅｍｐｅｒａｔｕｒｅ Ｐｏｌｉ Ｓｉｌｉｃｏｎ）パネルであることを特徴とする請求項１に記載のディスプレイ装置。
【請求項７】
前記ディスプレイパネルは、
ＬＣＤ（Ｌｉｑｕｉｄ Ｃｒｙｓｔａｌ Ｄｉｓｐｌａｙ）パネルであることを特徴とする請求項１に記載のディスプレイ装置。
【請求項８】
前記ディスプレイパネルは、
ＯＬＥＤ（Ｏｒｇａｎｉｃ Ｌｉｇｈｔ Ｅｍｉｔｔｉｎｇ Ｄｉｏｄｅ）パネルであることを特徴とする請求項１に記載のディスプレイ装置。
【請求項９】
第１〜第ｍ/２データ線と第（ｍ＋２）/２〜第ｍデータ線とがそれぞれ順次に連結され、第ｎゲート線と前記第１〜前記第ｍ/２データ線とが交差する領域に画素部を備えた左側パネルと、第ｎゲート線と前記第（ｍ＋２）/２〜前記第ｍデータ線とが交差する領域に画素部を備えた右側パネルとを備えるディスプレイパネルと、
前記第ｎゲート線を通じて前記左側パネルにゲート信号を提供する第１ゲート駆動部と、
前記第ｎゲート線を通じて前記右側パネルにゲート信号を提供する第２ゲート駆動部と、
前記第１ゲート駆動部および前記第２ゲート駆動部を制御し、前記第１〜前記第ｍ/２データ線を通じて前記左側パネルにデータ信号を提供するドライバＩＣと、を備えるディスプレイ装置。
【請求項１０】
前記ドライバＩＣは、
前記第１〜前記第ｍ/２データ線を通じて前記左側パネルにデータ信号を提供するデータ駆動部と、
前記第１ゲート駆動部に第１ゲート制御信号を提供し、前記第２ゲート駆動部に第２ゲート制御信号を提供し、前記データ駆動部にデータ制御信号を提供する信号制御部と、を備えることを特徴とする請求項９に記載のディスプレイ装置。
【請求項１１】
前記第１ゲート駆動部および前記第２ゲート駆動部は、
前記ディスプレイパネルに実装されたことを特徴とする請求項９または１０に記載のディスプレイ装置。
【請求項１２】
前記ディスプレイパネルは、
ＡＳＧパネルであることを特徴とする請求項９に記載のディスプレイ装置。
【請求項１３】
前記ディスプレイパネルは、
ＬＴＰＳパネルであることを特徴とする請求項９に記載のディスプレイ装置。
【請求項１４】
前記ディスプレイパネルは、
ＬＣＤパネルであることを特徴とする請求項９に記載のディスプレイ装置。
【請求項１５】
前記ディスプレイパネルは、
ＯＬＥＤパネルであることを特徴とする請求項９に記載のディスプレイ装置。
【発明の詳細な説明】
【技術分野】
【０００１】
本発明は、ディスプレイ装置に係り、さらに詳細には、ゲート駆動回路がパネル内に設計されるＡＳＧおよびＬＴＰＳパネル用ディスプレイ装置に関する。
【背景技術】
【０００２】
一般的に、移動通信端末機など、携帯用ディスプレイ装置に適用される小型薄膜トランジスタ型液晶表示装置（ＴＦＴ−ＬＣＤ：Ｔｈｉｎ Ｆｉｌｍ Ｔｒａｎｓｉｓｔｏｒ−Ｌｉｑｕｉｄ Ｃｒｙｓｔａｌ Ｄｉｓｐｌａｙ Ｄｅｖｉｃｅ）は、ソースライン駆動のためのソースドライバ、ゲートライン駆動のためのゲートドライバ、およびチャージポンプ方式を利用して、パネルおよび各駆動ドライバの電源電圧を供給するパワー集積回路（Ｐｏｗｅｒ Ｉｎｔｅｇｒａｔｅｄ Ｃｉｒｃｕｉｔ：ＰＩＣ）を備える。
【先行技術文献】
【特許文献】
【０００３】
【特許文献１】韓国公開特許第２００６−００４５７６３号公報
【特許文献２】韓国公開特許第２００８−０００６３６３号公報
【特許文献３】韓国公開特許第２００１−０１０５２７３号公報
【特許文献４】韓国公開特許第２００２−００５８７１６号公報
【発明の概要】
【発明が解決しようとする課題】
【０００４】
一方、アモルファスシリコンゲート（Ａｍｏｒｐｈｏｕｓ Ｓｉｌｉｃｏｎ Ｇａｔｅ：ＡＳＧ）技術は、有機基板上にゲートＩＣ（Ｉｎｔｅｇｒａｔｅｄ Ｃｉｒｃｕｉｔ）機能を装着し、タイミングコントロール機能をドライバＩＣ内に内蔵することによって、回路面積および部品数を減らせる。ＡＳＧパネルまたはＬＴＰＳ（Ｌｏｗ Ｔｅｍｐｅｒａｔｕｒｅ Ｐｏｌｙｓｉｌｉｃｏｎ）パネルは、パネル内部にゲートシフトレジスタブロックを内蔵できる。したがって、ドライバＩＣは、ゲートシフトレジスタを制御する信号のみ必要なので、ドライバＩＣ内のゲートブロックの面積を大きく減らせる。
【０００５】
本発明が解決しようとする課題は、ドライバＩＣの多くの部分を占めるデータ駆動ブロックの面積を減らしてドライバＩＣのチップ減少を極大化できるディスプレイ装置を提供することである。
【課題を解決するための手段】
【０００６】
前記課題を達成するための本発明の一実施形態によるディスプレイ装置は、左側パネルおよび右側パネルのデータ線が連結されたディスプレイパネルと、前記左側パネルにゲート信号を提供する第１ゲート駆動部と、前記右側パネルにゲート信号を提供する第２ゲート駆動部と、前記第１ゲート駆動部および前記第２ゲート駆動部を制御し、前記左側パネルまたは前記右側パネルのうちいずれか一つのパネルにデータ信号を提供するドライバＩＣと、を備えて形成される。
【０００７】
前記ディスプレイパネルは、前記左側パネルのデータ線と前記右側パネルのデータ線とが対称的に連結されたことを特徴とする。
【０００８】
前記ドライバＩＣは、前記左側パネルまたは前記右側パネルのうちいずれか一つのパネルにデータ信号を提供するデータ駆動部と、前記第１ゲート駆動部に第１ゲート制御信号を提供し、前記第２ゲート駆動部に第２ゲート制御信号を提供し、前記データ駆動部にデータ制御信号を提供する信号制御部と、を備えることを特徴とする。
【０００９】
前記第１ゲート駆動部および前記第２ゲート駆動部は、前記ディスプレイパネルに実装されたことを特徴とする。
【００１０】
前記ディスプレイパネルは、ＡＳＧパネルであることを特徴とする。
【００１１】
前記ディスプレイパネルは、ＬＴＰＳパネルであることを特徴とする。
【００１２】
前記ディスプレイパネルは、ＬＣＤパネルであることを特徴とする。
【００１３】
前記ディスプレイパネルは、ＯＬＥＤ（Ｏｒｇａｎｉｃ Ｌｉｇｈｔ Ｅｍｉｔｔｉｎｇ Ｄｉｏｄｅ）パネルであることを特徴とする。
【００１４】
前記課題を達成するための本発明の他の実施形態によるディスプレイ装置は、第１〜第ｍ/２データ線と第（ｍ＋２）/２〜第ｍデータ線とがそれぞれ順次に連結され、第ｎゲート線と前記第１〜前記第ｍ/２データ線とが交差する領域に画素部を備えた左側パネルと、第ｎゲート線と前記第（ｍ＋２）/２〜前記第ｍデータ線とが交差する領域に画素部を備えた右側パネルとを備えるディスプレイパネル、前記第ｎゲート線を通じて前記左側パネルにゲート信号を提供する第１ゲート駆動部、前記第ｎゲート線を通じて前記右側パネルにゲート信号を提供する第２ゲート駆動部、および前記第１ゲート駆動部および前記第２ゲート駆動部を制御し、前記第１〜前記第ｍ/２データ線を通じて前記左側パネルにデータ信号を提供するドライバＩＣを備えて形成される。
【００１５】
前記ドライバＩＣは、前記第１〜前記第ｍ/２データ線を通じて前記左側パネルにデータ信号を提供するデータ駆動部と、前記第１ゲート駆動部に第１ゲート制御信号を提供し、前記第２ゲート駆動部に第２ゲート制御信号を提供し、前記データ駆動部にデータ制御信号を提供する信号制御部と、を備えることを特徴とする。
【００１６】
前記第１ゲート駆動部および前記第２ゲート駆動部は、前記ディスプレイパネルに実装されたことを特徴とする。
【００１７】
前記ディスプレイパネルは、ＡＳＧパネルであることを特徴とする。
【００１８】
前記ディスプレイパネルは、ＬＴＰＳパネルであることを特徴とする。
【００１９】
前記ディスプレイパネルは、ＬＣＤパネルであることを特徴とする。
【００２０】
前記ディスプレイパネルは、ＯＬＥＤパネルであることを特徴とする。
【発明の効果】
【００２１】
本発明の一実施形態によるディスプレイ装置によれば、左右パネルのデータ線が連結され、左右パネルを分離駆動するそれぞれのゲート駆動部および左右パネルのうちいずれか一側のパネルのデータ線にのみデータ信号を提供することによって、ドライバＩＣの多くの部分を占めるデータ駆動ブロックの面積を減らして、ドライバＩＣのチップ減少を極大化できる。
【図面の簡単な説明】
【００２２】
【図１】ＡＳＧパネルの構造を説明する図である。
【図２】従来のパネル構造におけるゲート駆動部とドライバＩＣとの連結関係を示す図である。
【図３】本発明の一実施形態によるディスプレイ装置におけるゲート駆動部とドライバＩＣとの連結関係を示す図である。
【図４】本発明の他の実施形態によるディスプレイ装置におけるゲート駆動部とドライバＩＣとの連結関係を示す図である。
【発明を実施するための形態】
【００２３】
以下、添付した図面を参照して、本発明の望ましい実施形態を詳細に説明する。下記の説明では、本発明による動作の理解に必要な部分のみが説明され、それ以外の部分の説明は、本発明の要旨を不明確にしないようにするために省略されうる。
【００２４】
また、後述する本明細書および請求範囲に使われた用語や単語は、通常的／事前的な意味に限定して解釈されてはならず、本発明を最も適切に表現できるように、本発明の技術的思想に符合する意味および概念と解釈されねばならない。
【００２５】
図１は、ＡＳＧパネルの構造を説明する図である。
【００２６】
図１を参照すれば、従来の２チップ構造でゲートＩＣを除去したＡＳＧパネル構造の１チップ構造が示されている。ＡＳＧ技術は、ａ−Ｓｉ ＴＦＴを利用してガラス基板上にゲート回路を集積し、パネル内部にゲートドライバを実装することを意味する。従来のパネル外部に配されたゲートドライバＩＣを除去し、２チップから１チップモジュールに転換した。このようなＡＳＧ技術は、カラーフィルタのＢＭ（Ｂｌａｃｋ Ｍａｔｒｉｘ）下にＡＳＧを集積することによって、対称的なｎａｒｒｏｗ ｂｅｚｅｌが得られて、ディスプレイモジュールのスリム化を達成できる。しかし、ＡＳＧ技術でも、ドライバＩＣは、パネル外部に位置し、ドライバＩＣの大部分を占めるデータ駆動ブロックは、依然として同じ面積が必要である。
【００２７】
また、ＬＴＰＳ技術は、ゲートドライバだけでなく、既存のドライバＩＣに含まれたデマルチプレキシング部までもパネル内に集積できるので、ゲート回路のみをパネルに集積できるＡＳＧ技術より集積度が優秀である。しかし、ＬＴＰＳ技術でも、ドライバＩＣの他の部品、ソースドライバ、ＳＲＡＭ（Ｓｔａｔｉｃ Ｒａｎｄｏｍ Ａｃｃｅｓｓ Ｍｅｍｏｒｙ）、タイミング制御部、ＤＣ（Ｄｉｒｅｃｔ Ｃｕｒｒｅｎｔ）/ＤＣコンバータは、依然としてドライバＩＣの一部であって、一定の面積を占めねばならない。ここで、ドライバＩＣの大部分を占めるソースブロックのサイズを減らし、ドライバＩＣのサイズを減らすことが必要である。
【００２８】
図２は、従来のパネル構造におけるゲート駆動部とドライバＩＣとの連結関係を示す図である。
【００２９】
図２を参照すれば、ディスプレイパネル１００の内部にゲート駆動部１１０とゲート駆動部１１０からのゲート線Ｇ１，．．．Ｇ３２０とデータ線Ｓ１，．．．Ｓ７２０との交差する部分に配された画素部が示されている。ここで、ディスプレイパネルは、ＬＣＤ（Ｌｉｑｕｉｄ Ｃｒｙｓｔａｌ Ｄｉｓｐｌａｙ）パネルまたはＯＬＥＤ（Ｏｒｇａｎｉｃ Ｌｉｇｈｔ Ｅｍｉｔｔｉｎｇ Ｄｉｏｄｅ）パネルでありうる。したがって、画素部は、液晶素子と駆動回路および有機発光ダイオードと駆動回路でありうる。図２に示されたディスプレイ装置は、ＱＶＧＡ（Ｑｕａｒｔｅｒ Ｖｉｄｅｏ Ｇｒａｐｈｉｃｓ Ａｒｒａｙ）を具現するために３２０×２４０の解像度を具現する。したがって、３２０個のゲート線と２４０×ＲＧＢ、すなわち、７２０個のデータ線が示されている。
【００３０】
ドライバＩＣ１２０の出力は、ディスプレイパネル１００の内部のゲート駆動部１１０を制御するためのゲート制御信号１３０と７２０個のデータ線Ｓ１，．．．Ｓ７２０とを通じたデータ信号である。
【００３１】
図２に示されたディスプレイ装置は、ディスプレイパネル１００の内部にゲート駆動部１１０が配され、ドライバＩＣ１２０では、ゲート駆動部１１０のシフトレジスタを制御するためのゲート制御信号１３０のみを出力すればよいが、依然として７２０個のデータ信号線を通じてデータ信号を出力せねばならない。
【００３２】
図３は、本発明の一実施形態によるディスプレイ装置におけるゲート駆動部とドライバＩＣとの連結関係を示した図である。
【００３３】
図３を参照すれば、ディスプレイパネル１００内に第１ゲート駆動部１１０と第２ゲート駆動部１１１とが存在する。第１ゲート駆動部１１０は、ディスプレイパネル１００の左側表示領域の画素部にゲート信号Ｇ１，．．．Ｇ３２０を提供し、第２ゲート駆動部１１１は、ディスプレイパネル１００の右側表示領域の画素部にゲート信号Ｇ３２１，．．．Ｇ６４０を提供する。また、左側パネルの画素部のデータ信号は、右側パネルの画素部のデータ信号線および連結線１４０で共有されている。すなわち、左側パネルの第１データ線Ｓ１は、右側パネルの第７２０データ線Ｓ７２０と連結され、左側パネルの第２データ線Ｓ２は、右側パネルの第７１９データ線Ｓ７１９と連結される。このような方式で左側パネルのデータ線と右側パネルのデータ線とが対称的に連結される。
【００３４】
ディスプレイパネル１００の外部には、ドライバＩＣ１２０が第１ゲート駆動部１１０および第２ゲート駆動部１１１を制御し、左側パネルにデータ信号Ｓ１，．．．Ｓ３６０を提供する。ドライバＩＣ１２０内のデータ信号提供のためのデータ線が、図２に示されたデータ線と比較して半分に減ったことが分かる。すなわち、ディスプレイパネルを左右に分けてゲートを駆動することによって、パネル内部のゲート数は、２倍に増えるが、パネル外部のドライバＩＣのデータチャンネルは、半分に減る。また、第１ゲート駆動部１１０と第２ゲート駆動部１１１とのシフトレジスタにゲート制御信号のみが提供すればよい。したがって、ドライバＩＣ内の大部分を占めるデータブロックまたはソースブロックの面積を半分に減らせる。
【００３５】
図４は、本発明の他の実施形態によるディスプレイ装置におけるゲート駆動部とドライバＩＣとの連結関係を示した図である。
【００３６】
図４を参照すれば、ドライバＩＣ１２０は、信号制御部１２１とデータ駆動部１２２とを備える。ここで、ドライバＩＣ１２０の他の構成要素、例えば、ＳＲＡＭ、電源供給部は、省略された。
【００３７】
信号制御部１２１は、外部のグラフィック制御機（図示せず）から入力画像信号および入力制御信号を提供される。例えば、画像データＲ，Ｇ，Ｂを含む入力画像信号および垂直同期信号Ｖｓｙｎｃ、水平同期信号Ｈｓｙｎｃ、メインクロックＭＣＬＫおよびデータイネーブル信号ＤＥを含む入力制御信号を提供される。また、信号制御部１２１は、入力画像信号をディスプレイパネル１００の動作条件に合わせて処理して、内部的な画像データＲ，Ｇ，Ｂを生成し、ゲート制御信号およびデータ制御信号を生成した後、前記画像データＲ，Ｇ，Ｂおよびデータ制御信号をデータ駆動部１２２に伝送し、ゲート制御信号を第１ゲート駆動部１１０および第２ゲート駆動部１１１に伝送する。ここで、画像データＲ，Ｇ，Ｂは、ディスプレイパネル１００の画素配列によって再配列され、画像補正回路を通じて補正されうる。そして、データ制御信号は、画像データの伝送開始を知らせる水平同期開始信号ＳＴＨ、当該データラインにデータ信号を印加せよというロード信号ＬＯＡＤを含む。ゲート制御信号は、ゲートオン電圧Ｖｏｎの出力開始を指示する垂直同期開始信号ＳＴＶ、ゲートクロック信号ＣＫＶおよび出力イネーブル信号ＯＥを含む。
【００３８】
データ駆動部１２２は、階調電圧生成部（図示せず）からの階調電圧を利用して、デジタル形態の画像データをアナログ形態に変換し、これをデータ信号として左側パネル１０１の各データ線に印加する。ここでは、左側パネル１０１に印加すると説明されたが、右側パネル１０２に印加するように構成できる。すなわち、データ駆動部１２２は、いずれか一側のパネルのデータ線を通じてデータ信号を印加することによって、ドライバＩＣ１２０で占めるデータ駆動部１２２の面積を半分に減らせる。図４に示された実施形態で、データ駆動部１２２は、左側パネルのデータ線Ｓ１，．．．Ｓ３６０にのみデータ信号を印加する。
【００３９】
本発明の理解のために、図面に示された望ましい実施形態で参照符号を記載し、本発明の実施形態を説明するために特定用語を使用したが、特定用語によって本発明が限定されず、本発明は、当業者において通常的に思えるすべての構成要素を含みうる。
【００４０】
本発明は、機能的なブロック構成および多様な処理ステップで表現されうる。このような機能ブロックは、特定機能を実行する多様な数のハードウェアまたは/およびソフトウェア構成で具現されうる。例えば、本発明は、一つ以上のマイクロプロセッサの制御または他の制御装置によって多様な機能を実行できるメモリ、プロセシング、ロジック、ルックアップテーブルのような直接回路構成を採用できる。本発明における構成要素がソフトウェアプログラミングまたはソフトウェア要素で実行されうると同様に、本発明は、データ構造、プロセス、ルーチンまたは他のプログラミング構成の組合わせで具現される多様なアルゴリズムを含み、Ｃ、Ｃ＋＋、Ｊａｖａ（登録商標）、アセンブラのようなプログラミングまたはスクリプティング言語で具現されうる。機能的な側面は、一つ以上のプロセッサで実行されるアルゴリズムで具現されうる。また、本発明は、電子的な環境設定、信号処理、および/またはデータ処理のために従来の技術を採用できる。“メカニズム”、“要素”、“手段”、“構成”のような用語は、広く使われ、機械的／物理的な構成として限定されるものではない。前記用語は、プロセッサと連係して、ソフトウェアの一連の処理の意味を含みうる。
【００４１】
本発明で説明する特定実行は、一実施形態であって、いかなる方法でも本発明の範囲を限定するものではない。明細書の簡潔さのために、従来の電子的な構成、制御システム、ソフトウェア、前記システムの他の機能的な側面の記載は、省略できる。また、図面に示された構成要素間の線の連結または連結部材は、機能的な連結および/または物理的または回路的連結を例示的に表したものであって、実際装置では、代替可能であるか、または追加の多様な機能的な連結、物理的な連結、または回路連結として表現されうる。また、“必須な”、“重要に”のように、具体的に述べられねば、本発明の適用のために、必ずしも必要な構成要素ではない。
【００４２】
本発明の明細書（特に、特許請求の範囲で）で“前記”の用語およびこれと類似した指示用語の使用は、単数および複数に当るものでありうる。また、本発明で範囲を記載した場合、前記範囲に属する個別的な値を適用した発明を含むものとして（これに反する記載がなければ）、発明の詳細な説明に前記範囲を構成する各個別的な値を記載した通りである。最後に、本発明による方法を構成するステップについて明白に順序を記載するか、または反する記載がなければ、前記ステップは、適当な順序で行われうる。必ずしも前記ステップの記載順序によって、本発明が限定されるものではない。本発明で、すべての例または例示的な用語（例えば、など）の使用は、単純に本発明を詳細に説明するためのものであって、特許請求の範囲によって限定されない限り、前記例または例示的な用語によって、本発明の範囲が限定されるものではない。また、当業者は、多様な修正、組合わせおよび変更が付加された特許請求の範囲またはその均等物の範囲内で設計条件およびファクタによって構成されうるということが分かる。
【００４３】
また、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４４】
本発明は、ディスプレイ装置関連の技術分野に好適に適用可能である。
【符号の説明】
【００４５】
１００    ディスプレイパネル
１１０    ゲート駆動部
１２０    ドライバＩＣ
１１１    第２ゲート駆動部
１３０，１３１    第１および第２ゲート制御信号
１２１    信号制御部
１２２    データ駆動部
【図１】
2011164580.tif 000003
【図２】
2011164580.tif 000004
【図３】
2011164580.tif 000005
【図４】
2011164580.tif 000006